(57)【要約】回路装置が、主電源接続部（ＮＡ）、２つのスイッチング接点（１，２）を備えた主電源スイッチ（Ｓ１）、消磁コイル（ＥＳ）、及びスイッチモード電源（Ｉ）を有しており、前記スイッチモード電源（Ｉ）は、スイッチングトランジスタに対する制御電圧（ＤＳ）を発生させる励振回路（ＤＣ）を有している。主電源スイッチの第１スイッチング接点（１）は、消磁コイルをスイッチオン及びオフするために、主電源接続部と消磁コイルとの間に配置されており、第２スイッチング接点（２）は、スイッチモード電源をスイッチオフするために、励振回路（ＤＣ）に対する供給又は制御電圧（ＶＣＣ）に結合されている。その結果、主電源スイッチに力率コイルのインダクタンスが負荷されることなく、力率補正のために主電源接続部（ＮＡ）とスイッチモード電源との間で力率コイル（ＮＳ）を使用することができる。
2005528871.tif 000002
【特許請求の範囲】
【請求項１】
主電源接続部（ＮＡ）、２つのスイッチング接点（１，２）を備えた主電源スイッチ（Ｓ１）、消磁コイル（ＥＳ）、及びスイッチモード電源（Ｉ）を有する回路装置であって、前記スイッチモード電源（Ｉ）が、一次巻線（Ｗ１）を備えた変圧器（ＴＲ）、スイッチングトランジスタ（Ｔ１）、及び該スイッチングトランジスタ（Ｔ１）に対する制御電圧（ＤＳ）を発生させる励振回路（ＤＣ）を有している形式の回路装置において、
第１スイッチング接点（１）は主電源接続部（ＮＡ）と消磁コイルとの間に配置されており、
第２スイッチング接点（２）は、スイッチングトランジスタ（Ｔ１）に対する制御電圧（ＤＳ）をスイッチオフするために、前記励振回路（ＤＣ）に対する供給電圧（ＶＣＣ）又は制御電圧に結合されている、ことを特徴とする回路装置。
【請求項２】
前記変圧器（ＴＲ）は前記励振回路（ＤＣ）に対する給電電圧（ＶＣＣ）を発生させるための補助巻線（Ｗ２）を有しており、
前記第２スイッチング接点（２）は、前記供給電圧（ＶＣＣ）をスイッチオフするために、前記補助巻線（Ｗ２）と前記励振回路（ＤＣ）との間に配置されている、請求項１記載の回路装置。
【請求項３】
整流され平滑された供給電圧（ＶＣＣ）を発生させるために、補助巻線（Ｗ２）の一方の接続部（Ａ）にダイオード（Ｄ１）とキャパシタ（Ｃ２）が配置されており、
前記第２スイッチング接点（２）は、前記供給電圧（ＶＣＣ）をスイッチオフするために、前記補助巻線（Ｗ２）と前記励振回路（ＤＣ）との間に配置されている、請求項２記載の回路装置。
【請求項４】
前記スイッチモード電源はまた、主電源電圧を整流するための整流手段（ＢＲ）を有しており、該整流手段（ＢＲ）と前記一次巻線（Ｗ１）との間にはエネルギー蓄積キャパシタ（Ｃ１）を有している、請求項１，２又は３のいずれか１項記載の回路装置。
【請求項５】
力率補正のための力率コイル（ＮＳ）を有している、請求項１から４のいずれか１項記載の回路装置。
【請求項６】
前記力率コイル（ＮＳ）は、前記主電源接続部（ＮＡ）と前記エネルギー蓄積キャパシタ（Ｃ１）との間に、特に前記整流手段（ＢＲ）に前置して、配置されている、請求項５記載の回路装置。
【請求項７】
消磁コイル（ＥＳ）、２つのスイッチング接点（１，２）を備えた主電源スイッチ（Ｓ１）、及びスイッチモード電源（Ｉ）を有する回路装置であって、前記スイッチモード電源（Ｉ）が、スイッチングトランジスタ（Ｔ１）に対する制御電圧（ＤＳ）を発生させる励振回路（ＤＣ）を有している形式の回路装置において、
第１スイッチング接点（１）は前記消磁コイル（ＥＳ）をスイッチオン及びオフするために配置されており、
第２スイッチング接点（２）は、前記スイッチモード電源（Ｉ）をスイッチオフするために、前記励振回路（ＤＣ）に対する供給電圧（ＶＣＣ）又は制御電圧に結合されている、ことを特徴とする回路装置。
【請求項８】
２つのスイッチング接点（１，２）を備えた主電源スイッチ（Ｓ１）、消磁コイル（ＥＳ）、及び励振回路（ＤＣ）を備えたスイッチモード電源（Ｉ）を有する回路装置において、
第１スイッチング接点（１）は前記消磁コイル（ＥＳ）をスイッチオン及びオフするために使用され、
第２スイッチング接点（２）は、スイッチモード電源（Ｉ）の前記励振回路（ＤＣ）をスイッチオフ及びオフするために使用される、ことを特徴とする回路装置。
【請求項９】
請求項１から８のいずれか１項記載の回路装置を有することを特徴とする機器。
【請求項１０】
前記機器は消磁コイル（ＥＳ）が装着された受像管を有する、請求項９記載の機器。
【発明の詳細な説明】
【技術分野】
【０００１】
本発明は、主電源接続部、２つのスイッチング接点を備えた主電源スイッチ、消磁コイル、及びスイッチモード電源を有し、かつ前記スイッチモード電源が、一次巻線を備えた変圧器、スイッチングトランジスタ、及び該スイッチングトランジスタに対する制御電圧を発生させる励振回路を有している形式の回路装置、ならびに、相応する回路装置を有する機器に関する。
【０００２】
スイッチモード電源は電源システムにおいて激しいパルス負荷を発生させる。このことが電源システムに高調波電流を生じさせる。この負荷は正弦波状の主電源電圧が最高となる領域で生じ、この電圧最大値において、スイッチモード電源のためのエネルギー蓄積キャパシタが再充電される。したがって、比較的大きな受像管を有するテレビ受像機のように電力消費が比較的大きい機器は、高調波電流に関する特定の規制に従わなければならない。機器に起因する電源システムへの高調波負荷は、この場合、いわゆる力率として示すことができる。
【０００３】
力率の改善に関しては、大きく異なる種々の回路構想が、例えばＤＥ−Ａ−１９６  １０  ７６２，ＥＰ−Ａ−０  ７００  １４５及びＵＳ  ５，９８６，８９８から公知である。これらは電源整流器と変圧器の一次巻線との間にコイルを備えた第２の電流路を有している。このコイルのインダクタンスは、スイッチモード電源内のスイッチングトランジスタによる制御の結果としてスイッチモード電源のパルス電流の流量を拡大する電流ポンプのように作用する。
【０００４】
スイッチモード電源の力率を改善するための考えられる別の方法は、スイッチモード電源の入力エリアでコイルを使用することである。このコイルは５０Ｈｚコイル、主電源周波数コイル、又は力率コイルとも呼ばれる。他のコイルとの混同を避けるため、本明細書の記述ではこのコイルに対してつねに力率コイルという表現を用いる。
【０００５】
しかしながら、この力率コイルは、機器をスイッチオフするために主電源スイッチが操作されると、力率コイル内の電流が突然中断してしまうという不利点を有している。しかし、コイルに蓄積されたエネルギーは放散されなければならない。主電源スイッチが開いているということは回路内のインピーダンスが最高であることを示しているので、主電源スイッチのスイッチング接点間に非常に高い電圧が生じ、アークが発生する。このため主電源スイッチはより速く劣化し、スイッチが安全性に対する危険となる。というのも、最悪の場合、スイッチが潜在的な出火源となるからである。
【０００６】
スイッチング接点が低い速度で開く他の主電源スイッチも同様に危険である。この場合、接点間の電圧はあまり高くないが、それでもアークが発生し、相応する電源システムの半サイクルの終了まで燃焼する。この場合も、大量のエネルギーがスイッチにおいて失われるので、急速な劣化につながる。
【０００７】
本発明の課題は、高い信頼性と低い回路複雑度とを併せ持った、冒頭で述べたタイプの回路装置及び相応する機器を提供することである。
【０００８】
回路装置に関しては、この課題は請求項１，７及び８に記載された特徴により解決され、機器に関しては、請求項９に記載された特徴により解決される。本発明の有利な発展形態は従属請求項に述べられている。
【０００９】
本発明による回路装置は主電源接続部、２つのスイッチング接点を備えた主電源スイッチ、消磁コイル、及びスイッチモード電源を有しており、スイッチモード電源は、スイッチモード電源のスイッチングトランジスタに対する制御電圧を発生させる励振回路を有している。第１スイッチング接点はここでは、消磁コイルをスイッチオン及びオフするために、主電源接続部と消磁コイルとの間に配置されており、第２スイッチング接点は、スイッチングトランジスタに対する制御電圧をスイッチオフするために、又はスイッチモード電源をスイッチオフするために、励振回路に対する供給電圧又は制御電圧に接続されている。
【００１０】
これには、主電源接続部とスイッチモード電源との間にある力率コイルを力率補正に使用することができ、主電源スイッチに力率コイルのインダクタンスによる負荷がかからないという利点がある。この結果、明らかに、スイッチモード電源は主電源がスイッチオフされているときでも主電源に接続されている。しかしながら、これはユーザにとって不都合ではなく、スイッチモード電源がスイッチオフされている場合に、回路を始動させることから生じる僅かな電力損失をもたらすだけである。
【００１１】
上記の回路装置は、特に、例えばテレビ受像器やコンピュータモニタのような受像管を有する機器において使用することができる。この場合、この主電源スイッチ回路により、機器がスイッチオンされるときにはつねに、受像管が消磁されることが保証される。
【００１２】
以下の記載では、例として、図面に概略的に示された実施例を用いて、本発明をより詳細に説明する。図面のうち、
図１は、主電源接続部、力率コイル及びスイッチモード電源、ならびに主電源スイッチを有する回路装置を示しており、
図２は、テレビ受像器のシャーシでのこの装置の使用を示している。
【００１３】
図１には、スイッチモード電源Ｉが概略的に示されている。スイッチモード電源Ｉは、整流手段、この実施例では４つのダイオードを有するブリッジ整流器ＢＲ、エネルギー蓄積キャパシタＣ１、及び変圧器ＴＲを有している。なお、変圧器ＴＲは、一次巻線Ｗ１、一次側に配置された補助巻線Ｗ２、ならびに、二次側に配置された二次巻線Ｗ３，Ｗ４及びＷ５を有している。エネルギー蓄積キャパシタＣ１は、このケースでは、ブリッジ整流器ＢＲと一次巻線Ｗ１との間に配置されている。一次巻線Ｗ１にはスイッチングトランジスタＴ１が直列に接続されており、スイッチングトランジスタＴ１は励振回路ＤＣに対する制御電圧ＤＳによって制御される。供給電圧ＶＣＣは、スイッチモード電源の動作のために、補助巻線Ｗ２、ダイオードＤ１、及びキャパシタＣ２を介して提供され、励振回路に供給される。
【００１４】
図１のスイッチモード電源Ｉは、さらに主電源接続部ＮＡ、消磁コイル（図示せず）、及び２つのスイッチング接点１，２を備えた主電源スイッチＳ１をも有する回路装置の一部である。この回路装置は有利には受像管を有する機器、例えばテレビ受像器に組み込まれている。
【００１５】
テレビ受像器やコンピュータモニタで使用される受像管は、受像管の色純度を維持するために時おり消磁する必要がある。これは消磁コイルを用いて行われる。消磁コイルには、通常、機器をスイッチオンするプロセスの間、ＡＣ電圧が流れる。この場合、ＡＣ電圧として２２０Ｖ主電源電圧が使用され、機器がスイッチオンされると大きな電流サージが生じ、その後しだいに低減する。この低減はポジスタを用いて行われる。ポジスタは大電流により加熱され、その結果としてインピーダンスが高くなる。
【００１６】
スイッチモード電源を調整するために、励振回路ＤＣには、例えばテレビ受像器内のシステム電圧などの二次側の供給電圧Ｕ４から導出された調整信号が供給され、オプトカプラ又は絶縁変圧器（図示せず）を介してスイッチモード電源の一次側に送信される。
【００１７】
いわゆるスナバ回路網ＳＮが一次巻線Ｗ１と並列に配置されており、スイッチングトランジスタＴ１をスイッチオフするプロセスの間に生じる電圧スパイクを減衰するために使用される。スイッチモード電源はまた始動回路ＡＳも含んでいる。始動回路ＡＳは、上記回路装置が組み込まれた機器がスイッチオンされた後、スイッチモード電源の始動フェーズのための電流を励振回路ＤＣに供給する。通常、始動回路ＡＳは、ブリッジ整流器ＢＲとキャパシタＣ２との間の接続を生じさせる高価な抵抗器の連鎖である。供給電圧ＶＣＣは、動作中に、補助巻線Ｗ２ならびにダイオードＤ１及びフィルタキャパシタＣ２によって発生させられる。
【００１８】
図に示されているスイッチモード電源は有利にはフライバックコンバータ原理に基づいて動作する。しかし、他の回路原理も同様に可能である。フライバックコンバータは、有利には、例えばテレビ受像器及びビデオレコーダなどの娯楽電子機器において使用される。この場合、フライバックコンバータでは、スイッチングトランジスタＴ１がスイッチオンされるフェーズの間にエネルギーが変圧器ＴＲに蓄積され、その後、スイッチングトランジスタＴ１がスイッチオフされるフェーズにおいて二次側の巻線Ｗ３−Ｗ５と一次側の補助巻線Ｗ２に送られる。フライバックコンバータは、ＡＣ／ＤＣ変換器としてもＤＣ／ＤＣ変換器としても使用される。
【００１９】
このタイプのスイッチモード電源は力率が低い。というのも、ブリッジ整流器ＢＲの出力電圧Ｕ２がエネルギー蓄積キャパシタＣ１の端部間の電圧値を超える５０Ｈｚ主電源電圧の最高電圧と最低電圧の領域でしか、エネルギー蓄積キャパシタＣ１が再充電されないからである。スイッチモード電源の力率を改善する考えられる１つの簡単な方法は、主電源接続部ＮＡとエネルギー蓄積キャパシタＣ１との間に配置された主電源周波数コイル又は力率コイルＮＳを使用することである。この実施例では、このコイルは主電源接続部ＮＡと電源整流器ＢＲとの間に接続されている。
【００２０】
力率コイルＮＳは、エネルギー蓄積キャパシタＣ１を再充電するために使用されるパルス電流の流量を拡大させ、位相シフトさせる。なぜならば、例えば５０ｍＨであるこのコイルのインダクタンスは、コイルを流れる電流がもっぱら徐々に増大し、減衰の形で再び弱まることを意味するからである。この場合、要求に適合する力率はインダクタンス値の適切な選択によって得られる。
【００２１】
図１にはまた、２つのスイッチング接点１及び２を備えた主電源スイッチＳ１、ならびにスイッチング接点１に対応する接続部ａ及びｂと、スイッチング接点２に対応する接続部ｃ及びｄが示されている。このケースでは、主電源スイッチＳ１はふつうユーザにとってアクセスし易いように機器の正面に配置されている。接続部ｃ及びｄは、このケースでは、本発明にしたがって、スイッチモード電源の励振回路ＤＣをスイッチオン及びオフするための接続部ｃ’及びｄ’に接続されており、接続部ａ及びｂは消磁コイルをスイッチオン及びオフするために消磁コイルに接続されている。
【００２２】
そのため、力率コイルＮＳは主電源スイッチＳ１の電流路内には配置されない。したがって、主電源スイッチには、機器がスイッチオン及びオフされるときに、力率コイルＮＳによる負荷がかからない。同時に、この回路装置は、機器がスイッチオンされるたびに、受像管を消磁するために消磁コイルがスイッチオンされることを保証する。
【００２３】
図２には、改良形態においてテレビ受像器のシャーシに組み込まれた、回路装置の主な構成要素が示されている。回路装置は、入力側に、電源フィルタＮＦを備えたフィルタ部、キャパシタＣ３及びＣ４、ならびに抵抗器Ｒ１を有しており、フィルタ部は回路装置の主電源接続部ＮＡに接続されている。このフィルタ部は機器からの放射妨害が電源システムに入るのを防ぎ、電源システムにすでに存在しているどの妨害も抑制する。フィルタ部の出力側は、スイッチモード電源の動作のための整流電圧Ｕ２を供給するブリッジ整流器ＢＲに接続されている。
【００２４】
接続部ｅ及びｆはブリッジ整流器とフィルタ部との間の接続部に配置されている。フィルタ部には、図２には図示されていないが、力率コイルＮＳが接続されている。力率コイルが離れて配置されているため、スイッチモード電源をコンパクトに保つことができ、特に、力率補正を有していない既存のスイッチモード電源を設計の大幅な変更なしに使用することができる。力率コイルＮＳをブリッジ整流器ＢＲに前置して配置するということは、力率コイルＮＳが電源システムの正弦波ＡＣ電圧の電流路内に位置していることを意味する。
【００２５】
スイッチモード電源のための励振回路ＤＣと変圧器ＴＲは、図２では、本発明の理解に必要な程度に、概略的にしか示されていない。図１に関連してすでに説明したように、ダイオードＤ１とキャパシタＣ２は、励振回路に対する動作電圧ＶＣＣを発生させるために、一次側に配置された補助巻線Ｗ２に配置されている。２つの接続点ｃ’及びｄ’はキャパシタＣ２と励振回路ＤＣとの間の接続部内のシャーシに配置されており、主電源スイッチＳ１の接続点ｃ及びｄに接続されている。
【００２６】
また、１μＦのキャパシタンスを有するキャパシタＣ６が有利には接続部ｃ’と励振回路ＤＳとの間のアースに接続されており、スイッチング接点２のスイッチバウンシングを防ぎ、主電源スイッチＳ１への長い給電線に対するフィルタリングを提供するために使用される。このキャパシタのキャパシタンスは、このケースでは、スイッチングトランジスタＴ１が完全にスイッチオフされるまでのスイッチングサイクルの回数にも影響を与える。
【００２７】
接続部ｇ及びｈを介して消磁コイルＥＳ（図示せず）に接続されているポジスタＰＳとキャパシタＣ５もシャーシ上に配置されている。入力側で、ポジスタＰＳはキャパシタＣ３と並列に配置されている。主電源スイッチＳ１の接続点ａ及びｂに接続された接続点ａ’及びｂ’は、このケースでは、電源内に位置している。そのため、機器をスイッチオンするために主電源スイッチＳ１が操作されるときはつねに、消磁コイルＥＳがスイッチオンされる。ポジスタＰＳはこのケースではスイッチオンの瞬間に大きな電流サージを保証する。この電流サージは、ポジスタの加熱により低損失レベルまで連続的に減少する。
【００２８】
機器をスイッチングする際にはつねに、主電源スイッチＳ１が押されるとスイッチング接点１及び２が閉じるので、スイッチモード電源はスイッチング接点２を介して始動することができる。というのも、この場合、励振回路ＤＣに動作電圧ＶＣＣが供給されるからである。スイッチオンされると、スイッチモード電源はこのように従来タイプの機器において主電源スイッチＳ１を使用する際とまったく同様に振る舞う。
【００２９】
機器をスイッチオフするときはつねに、主電源スイッチＳ１が開かれるとスイッチング接点２は短時間でスイッチングトランジスタＴ１をスイッチオフするので、変圧器ＴＲにおいてエネルギーはもはや二次巻線Ｗ２−Ｗ５に送られない。スイッチングトランジスタＴ１のスイッチング電圧ＤＳは励振回路ＤＣにより直接的又は間接的にスイッチオフされる。スイッチング接点２は、図２に関連して説明されたように、有利には接続点ｃ’及びｄ’に接続されているので、励振回路ＤＣはスイッチングオフプロセスの間に供給電圧ＶＣＣから切り離される。しかしながら、励振回路ＤＣの別の電圧、例えば励振回路ＤＣに対する制御電圧をスイッチング接点２によって類似した仕方でスイッチオフしてもよいし、又はスイッチング接点２を使用して所定の電圧レベルで調整信号ＲＳを調整してもよいので、スイッチングトランジスタＴ１は同様に永続的にスイッチオフされる。
【００３０】
したがって、本発明によれば、主電源接続部ＮＡは主電源スイッチＳ１なしでスイッチングされることなくブリッジ整流器ＢＲに接続される。したがって、スイッチモード電源Ｉは、機器の電源プラグが電源システムに接続されているときはつねに、電源システムに接続されている。そのため、力率コイルＮＳは主電源スイッチＳ１の電流路内には配置されていない。それゆえ、主電源スイッチＳ１の寿命が著しく改善される。
【００３１】
本発明のさらなる改良は当業者の範囲内にある。本発明は上で説明したようなフライバックコンバータに基づいたスイッチモード電源に限定されるものではなく、力率補正が必要とされる他のスイッチモード電源に対して使用することができる。本発明はまた力率補正を有しない機器においても使用することができる。したがって、例えば、接続点ｅ及びｆは力率補正を必要としない国々向けの機器では短絡させてもよい。それゆえ、これらの国々向けのこれらの機器においてシャーシを変更する必要がない。
【図面の簡単な説明】
【００３２】
【図１】主電源接続部、力率コイル及びスイッチモード電源、ならびに主電源スイッチを有する回路装置を示す。
【図２】テレビ受像器のシャーシでのこの装置の使用を示す。
【図１】
2005528871.tif 000003
【図２】
2005528871.tif 000004
【手続補正書】
【提出日】平成16年6月8日(2004.6.8)
【手続補正１】
【補正対象書類名】特許請求の範囲
【補正対象項目名】全文
【補正方法】変更
【補正の内容】
【特許請求の範囲】
【請求項１】
主電源接続部（ＮＡ）、第１及び第２のスイッチング接点（１，２）を備えた主電源スイッチ（Ｓ１）、消磁コイル（ＥＳ）、及びスイッチモード電源（Ｉ）を有する回路装置であって、前記スイッチモード電源（Ｉ）が、励振回路（ＤＣ）、一次巻線（Ｗ１）と補助巻線（Ｗ２）とを備えた変圧器（ＴＲ）、前記一次巻線（Ｗ１）に直列接続されたスイッチングトランジスタ（Ｔ１）、主電源電圧を整流するための整流手段（ＢＲ）、及び該整流手段（ＢＲ）と前記一次巻線（Ｗ１）との間に接続されたエネルギー蓄積キャパシタ（Ｃ１）を有しており、前記励振回路（ＤＣ）が前記スイッチングトランジスタ（Ｔ１）に対する制御電圧（ＤＳ）を発生させ、
前記回路装置がさらに力率補正のための力率コイル（ＮＳ）を有しており、該力率コイル（ＮＳ）が主電源接続部（ＮＡ）と前記エネルギー蓄積キャパシタ（Ｃ１）との間に配置されている形式の回路装置において、
第１スイッチング接点（１）は、消磁コイル（ＥＳ）をスイッチオン及びオフするために、主電源接続部（ＮＡ）と消磁コイルとの間に配置されており、
第２スイッチング接点（２）は、前記供給電圧（ＶＣＣ）をスイッチオフするために、前記補助巻線（Ｗ２）と前記励振回路（ＤＣ）との間に配置されている、又は、スイッチングトランジスタ（Ｔ１）をスイッチオフする目的で、前記励振回路（ＤＣ）に対する制御電圧をスイッチオフするために配置されている、ことを特徴とする回路装置。
【請求項２】
前記供給電圧（ＶＣＣ）を整流及び平滑するために、補助巻線（Ｗ２）の接続部（Ａ）にダイオード（Ｄ１）と第２のキャパシタ（Ｃ２）が接続されており、
前記第２スイッチング接点（２）は前記第２のキャパシタ（Ｃ２）と前記励振回路（ＤＣ）との間に配置されている、請求項１記載の回路装置。
【請求項３】
前記力率コイル（ＮＳ）は前記整流手段（ＢＲ）に前置して配置されている、請求項１又は２記載の回路装置。
【請求項４】
前記回路装置はさらに主電源フィルタ（ＮＦ）、該主電源フィルタ（ＮＦ）と前記主電源接続部（ＮＡ）との間の第１の並列キャパシタ（Ｃ４）、及び前記主電源フィルタ（ＮＦ）と前記整流手段（ＢＲ）との間の第２の並列キャパシタ（Ｃ３）を有しており、前記消磁コイル（ＥＳ）が前記第２の並列キャパシタ（Ｃ３）に対して並列に且つ前記整流手段（ＢＲ）に対して並列に配置されており、前記第１スイッチング接点（１）の接続部（ａ，ｂ）が、前記消磁コイル（ＥＳ）をスイッチオン及びオフするために、前記第２の並列キャパシタ（Ｃ３）と前記消磁コイル（ＥＳ）との間に直列に配置されている、請求項１から３のいずれか１項記載の回路装置。
【請求項５】
前記第１スイッチング接点（１）と前記消磁コイル（ＥＳ）との間に直列にポジスタ（ＰＳ）が配置されている、請求項４記載の回路装置。
【請求項６】
主電源接続部（ＮＡ）、第１及び第２の機械的スイッチング接点（１，２）を備えた、ユーザによりアクセス可能な主電源スイッチ（Ｓ１）、消磁コイル（ＥＳ）、及びスイッチモード電源（Ｉ）を有する回路装置であって、前記スイッチモード電源（Ｉ）が、励振回路（ＤＣ）、該励振回路（ＤＣ）に供給電圧（ＶＣＣＰ）を供給するための一次巻線（Ｗ１）と補助巻線（Ｗ２）とを備えた変圧器（ＴＲ）、及び前記一次巻線（Ｗ１）に直列接続されたスイッチングトランジスタ（Ｔ１）を有しており、前記励振回路（ＤC)が前記スイッチングトランジスタ（Ｔ１）に対する制御電圧（ＤＳ）を発生させる形式の回路装置において、
第１スイッチング接点（１）は前記消磁コイル（ＥＳ）をスイッチオン及びオフするために、前記主電源接続部（ＮＡ）と前記消磁コイル（ＥＳ）との間に配置されており、
第２スイッチング接点（２）は、前記供給電圧（ＶＣＣ）をスイッチオフするために、前記補助巻線（Ｗ２）と前記励振回路（ＤＣ）との間に配置されている、又は、スイッチングトランジスタ（Ｔ１）をスイッチオフする目的で、前記励振回路（ＤＣ）に対する制御電圧をスイッチオフするために配置されている、ことを特徴とする回路装置。
【請求項７】
請求項１から６のいずれか１項記載の回路装置を有することを特徴とする機器。
【請求項８】
前記機器は消磁コイル（ＥＳ）が取り付けられた受像管を内蔵している、請求項７記載の機器。
【国際調査報告】
2005528871.tif 000005
2005528871.tif 000006
2005528871.tif 000007